(57)【要約】【課題】低流量域での励磁電流の値を大きくし、低流量域での流量測定の安定性を高める。【解決手段】励磁電圧回路３−１の前段のラインＬＡとＬＢとの間に数百μＦの以上のコンデンサＣ２を接続する。計測値０％〜５％未満の区間は励磁回路３への励磁電流Ｉｅｘの指示値を４．８ｍＡとする。例えば、計測値が０％で、供給電流Ｉが４ｍＡとされているものとする。この場合、励磁電流Ｉｅｘの値は、供給電流Ｉ＝４ｍＡよりも大きい４．８ｍＡとされる。この際、励磁電流Ｉｅｘの立ち上がり波形は、励磁電流Ｉｅｘが供給電流Ｉを超えるまでの間の設計上の余剰電力によってコンデンサＣ１に電荷が蓄えられ、この電荷によって励磁電流Ｉｅｘが４ｍＡを超えている間のツェナーダイオードＺＤ１への電流が補充され、定電圧回路３−１の動作が確保されるため、５ｍｓ以上の定常域が確保された波形となる。【選択図】　　　　図１
2004061451.tif 000002
【特許請求の範囲】
【請求項１】
測定管内を流れる流体の流れ方向に対して直交する磁界を発生する励磁コイルと、
前記測定管内を流れる流体の流れ方向および前記励磁コイルが発生する磁界の方向と直交する方向に発生する信号起電力に基づいて求めた流量計測値に応じて、外部電源が供給される一対の信号線に流れる出力電流を所定の範囲で調整する流量測定出力回路と、
前記一対の信号線の間に前記流量測定出力回路と直列に接続され、前記出力電流の一部を励磁電流として前記励磁コイルに供給する励磁回路とを備え、
この励磁回路は、
第１のラインと第２のラインとの間に所定の励磁電圧を発生する励磁電圧回路と、
この励磁電圧回路からの励磁電圧をその極性を周期的に切り替えて前記励磁コイルに印加するスイッチ回路と、
前記第１のラインと前記第２のラインとの間に前記スイッチ回路を介して前記励磁コイルと直列に接続され、前記流量測定出力回路によって調整される出力電流の大きさに応じて前記励磁電流の値を調整する励磁電流調整回路と、
前記第１のラインと前記第２のラインとの間に設けられたコンデンサと
を有すること特徴とする２線式電磁流量計。
【請求項２】
請求項１に記載された２線式電磁流量計において、
さらに前記流量測定出力回路によって調整される出力電流の大きさに応じて前記励磁電流の値を指示する指示手段を備え、
この指示手段は、少なくとも前記流量計測値が０から所定値に達するまでの区間において、前記流量測定出力回路によって調整される出力電流の最小値よりも大きな値を前記励磁電流の値として指示し、
前記励磁電流調整回路は、前記指示手段により与えられる指示値に基づいて前記励磁電流の値を調整することを特徴とする２線式電磁流量計。
【発明の詳細な説明】
【０００１】
【発明の属する技術分野】
この発明は、各種プロセス系において導電性を有する流体の流量を測定する電磁流量計に関し、特に直流電源に接続された一対の信号線より外部電圧が供給され、この外部電圧を供給する一対の信号線に流れる出力電流を調整することによって計測値を出力する２線式電磁流量計に関するものである。
【０００２】
【従来の技術】
従来より、この種の２線式電磁流量計においては、測定管内を流れる流体の流れ方向に対してその磁界の発生方向を垂直として配置された励磁コイルへ所定周波数で矩形波状の励磁電流Ｉｅｘを供給し、励磁コイルの発生磁界と直交して測定管内に配置された電極間に得られる信号起電力（流量に比例した信号）を検出し、この検出した信号起電力に基づいてＣＰＵでの演算処理により計測値を０〜１００％値として求め、この２線式電磁流量計に外部電圧を供給する一対の信号線に流れる電流（出力電流）を、上記求めた計測値に応じて４〜２０ｍＡの電流範囲で調整するようにしている。
【０００３】
図５に従来の２線式電磁流量計の概略を示す。同図において、１００は２線式電磁流量計、２００は直流電源であり、２線式電磁流量計１００には一対の信号線Ｌ１，Ｌ２を介して直流電源２００からの外部電圧Ｖｓが供給される。信号線Ｌ２には外部負荷ＲＬとして例えば２５０Ωの抵抗が接続されている。また、直流電源２００は、ＤＣ２４Ｖとされている。この場合、２線式電磁流量計１００に供給される外部電圧Ｖｓは、直流電源２００の電源電圧（ＤＣ２４Ｖ）から外部負荷ＲＬにおける電圧降下を差し引いた値とされる。
【０００４】
２線式電磁流量計１００において、１は測定管、２は測定管１内を流れる流体の流れ方向に対してその磁界の発生方向を垂直として配置された励磁コイル、３は第１のラインＬＡと第２のラインＬＢとの間に励磁電圧Ｖｅｘを生成すると共に励磁コイル２へ矩形波状の励磁電流Ｉｅｘを周期的に供給する励磁回路、４ａ，４ｂは励磁コイル２の発生磁界と直交して測定管１内に配置された検出電極、５は接地電極、６は検出電極４ａ，４ｂ間に得られる信号起電力を検出し、この検出される信号起電力に基づいて計測値を求め、この求めた計測値に応じて直流電源２００に戻される出力電流Ｉ（Ｉｏｕｔ）を４〜２０ｍＡの電流範囲で調整する流量測定出力回路である。
【０００５】
励磁回路３は励磁電圧回路（定電圧回路）３−１とＤ／Ａ回路３−２と励磁電流調整回路（ＣＣＳ）３−３とを有している。励磁電圧回路３−１は、トランジスタＱ１とコンパレータＣＰ１と基準抵抗ＲｅｆとツェナーダイオードＺＤ１と抵抗Ｒ１，Ｒ２とによって構成されており、ツェナーダイオードＺＤ１と基準抵抗Ｒｅｆとの接続点に生じる基準電圧Ｖｒｅｆと抵抗Ｒ１とＲ２との接続点に生じる検出電圧Ｖｐｖとを比較し、ＶｒｅｆとＶｐｖとを一致させるようにコンパレータＣＰ１によってトランジスタＱ１のコレクタ・エミッタ間に流れる電流を制御することによって、ラインＬＡとＬＢとの間に励磁電圧Ｖｅｘとして８．５Ｖの定電圧を生成する。
【０００６】
Ｄ／Ａ回路３−２は、抵抗Ｒ３，Ｒ４，Ｒ５とコンデンサＣ１とコンパレータＣＰ２とスイッチＳＷ５とによって構成されており、抵抗Ｒ１とＲ２との接続点に抵抗Ｒ３の一端が接続され、抵抗Ｒ３の他端がスイッチＳＷ５を介して抵抗Ｒ４の一端に接続されている。抵抗Ｒ４の他端はラインＬＢに接続されている。また、抵抗Ｒ４の一端が抵抗Ｒ５を介してコンパレータＣＰ２の非反転入力端に接続されており、コンパレータＣＰ２の非反転入力端とラインＬＢとの間にコンデンサＣ１が接続されている。
【０００７】
励磁電流調整回路３−３は、抵抗Ｒ６とトランジスタＱ２とスイッチＳＷ１〜ＳＷ４とによって構成されており、Ｄ／Ａ回路３−２のコンパレータＣＰ２の出力端がトランジスタＱ２のベースに接続されている。トランジスタＱ２のエミッタは、抵抗Ｒ６を介してラインＬＢに接続されると共に、コンパレータＣＰ２の反転入力端に接続されている。トランジスタＱ２のコレクタは、スイッチＳＷ４とＳＷ１との直列接続回路を介して、またスイッチＳＷ３とＳＷ２との直列接続回路を介してラインＬＡに接続されており、スイッチＳＷ１とスイッチＳＷ４との接続点Ｐ１とスイッチＳＷ２とスイッチＳＷ３との接続点Ｐ２との間に励磁コイル２が接続されている。
【０００８】
励磁電流調整回路３−３は、流量測定出力回路６からの指令によって、スイッチＳＷ１，ＳＷ３とスイッチＳＷ２，ＳＷ４とを所定の周期で交互にオンすることにより、その極性が交互に切り替わる矩形波状の励磁電流Ｉｅｘを生成する。
Ｄ／Ａ回路３−２は、後述する流量測定出力回路６内に設けられたＣＰＵ６−４からの指令によってスイッチＳＷ５のオン・オフを制御することにより、図６に示すように励磁電流Ｉｅｘの値（波高値）を流量測定出力回路６における計測値に応じて多段階に切り替える。
【０００９】
流量測定出力回路６は、信号起電力検出回路６−１と、サンプルホールド回路６−２と、Ａ／Ｄ変換回路６−３と、ＣＰＵ６−４と、Ｄ／Ａ変換回路６−５と、電流調整回路（ＣＣＳ）６−６と、これらの回路に電源電圧を供給する定電圧回路６−７とを有している。
【００１０】
信号起電力検出回路６−１は、接地電極５の電位を基準として、電極４ａ，４ｂ間に得られる信号起電力を検出する。サンプルホールド回路６−２は、信号起電力検出回路６−１が検出する信号起電力を入力とし、この信号起電力の値を極性が切り替わる直前でサンプルホールドする。Ａ／Ｄ変換回路６−３は、サンプルホールド回路６−２によってサンプルホールドされた信号起電力（アナログ値）をデジタル値に変換し、ＣＰＵ６−４へ送る。
【００１１】
ＣＰＵ６−４は、Ａ／Ｄ変換回路６−３からの信号起電力に基づいて計測値（０〜１００％）を求め、Ｄ／Ａ変換回路６−５へ出力する。Ｄ／Ａ変換回路６−５は、ＣＰＵ６−４からの計測値（デジタル値）をアナログ値に変換し、電流調整回路６−６へ送る。電流調整回路６−６は、コンパレータＣＰ３とトランジスタＱ３と抵抗Ｒ７とを有し、コンパレータＣＰ３によってトランジスタＱ３のベース電流を調整することによって、トランジスタＱ３のコレクタ−エミッタ間を流れる電流ＩｃｃｓをＤ／Ａ変換回路６−５からの計測値に応じて調整する。
【００１２】
また、ＣＰＵ６−４は、Ａ／Ｄ変換回路６−３からの信号起電力に基づいて求めた計測値に応じ、図６に示した関係で励磁電流Ｉｅｘが励磁コイル２へ供給されるように、励磁回路３へ指令を与える。すなわち、ＣＰＵ６−４は、励磁電流調整回路３−３へ指令を与え、スイッチＳＷ１，ＳＷ３とスイッチＳＷ２，ＳＷ４とを交互にオンさせることによって、その極性が交互に切り替わる矩形波状の励磁電流Ｉｅｘを励磁コイル２へ流す。また、ＣＰＵ６−４は、Ｄ／Ａ回路３−２へ指令を与え、計測値に応じたデューティ比（計測値に応じて段階的に設定されるデューティ比）でスイッチＳＷ５のオン・オフを制御することによって、コンパレータＣＰ２の非反転入力端への電圧値を調整し、トランジスタＱ２に流れる電流の値、すなわち励磁コイル２に流れる励磁電流Ｉｅｘの値を調整する。
【００１３】
この２線式電磁流量計１００では、励磁回路３と流量測定出力回路６とが信号線Ｌ１とＬ２との間に直列に接続されており、励磁回路３を流れる電流が流量測定出力回路６に流れ込んで、直流電源２００に戻される出力電流Ｉｏｕｔとなる。図７にこの２線式電磁流量計１００の回路構成を単純化して示す。
【００１４】
例えば、ＣＰＵ６−４での計測値が０％である場合、励磁回路３への励磁電流Ｉｅｘの指示値は３．５ｍＡとされる。励磁回路３では、励磁電圧回路３−１での励磁電圧Ｖｅｘの生成やコンパレータＣＰ２の非反転入力端への電圧値の設定などに０．５ｍＡの電流が必要であり、Ｄ／Ａ回路３−２を含む励磁電圧回路３−１側を流れる電流をＩａとすると、励磁回路３を流れる電流Ｉ１は、Ｉ１＝Ｉａ＋Ｉｅｘ＝０．５ｍＡ＋３．５ｍＡ＝４ｍＡとなる。
【００１５】
この４ｍＡの電流Ｉ１が流量測定出力回路６へ流れ込む。流量測定出力回路６では、定電圧回路６−７側に流れる電流をＩｂとした場合、この電流ＩｂはＣＰＵ６−４などを駆動するために３ｍＡ必要であり、トランジスタＱ３側を流れる電流Ｉｃｃｓが１ｍＡに調整されるとすると、流量測定出力回路６を流れる電流Ｉ２（Ｉ２＝Ｉｃｃｓ＋Ｉｂ）は４ｍＡとなり、励磁回路３を流れる電流Ｉ１と流量測定出力回路６を流れる電流Ｉ２とが等しくなり、直流電源２００に戻される出力電流Ｉｏｕｔが計測値０％を示す４ｍＡとなる。
【００１６】
ＣＰＵ６−４での計測値が例えば１０％となれば、ＣＰＵ６−４は出力電流ＩｏｕｔをＩｏｕｔ＝４ｍＡ＋１．６ｍＡ＝５．６ｍＡとするために、トランジスタＱ３側を流れる電流Ｉｃｃｓを２．６ｍＡに調整する。この場合、励磁回路３では、励磁電流Ｉｅｘ＝３．５ｍＡとされているために、Ｄ／Ａ回路３−２を含む励磁電圧回路３−１側を流れる電流Ｉａは２．１ｍＡとなる。
【００１７】
〔励磁電流Ｉｅｘの値を計測値に応じて多段階に切り替える理由〕
励磁電流Ｉｅｘの値は、図６に示した関係に従い、ＣＰＵ６−４での計測値に応じて多段階に切り替えられる。このような励磁電流Ｉｅｘの値を多段階に切り替える方式を多点励磁切替方式と呼んでいる。多点励磁切替方式としないとすると、すなわち励磁電流Ｉｅｘの値を３．５ｍＡに固定すると、流体を貫く磁束密度が小さいため、信号起電力検出回路６−１で得られる信号起電力が小さく、流速に応じて電極４ａ，４ｂに重畳してくるノイズの影響を受けて出力が大きくふらつく。すなわち、高流量になるにつれて信号起電力に含まれるノイズの割合が高くなって、Ｓ／Ｎ比が低下し、安定した流量計測ができなくなる。
【００１８】
信号起電力検出回路６−１で得られる信号起電力をｅとすると、信号起電力ｅは、ｅ＝ｋ・Ｂ・ｖ・Ｄとして表される。なお、この式において、ｋは定数、Ｄは測定管１の口径、ｖは平均流速、Ｂは発生磁束密度である。ここで、Ｂは励磁電流Ｉｅｘに比例し、励磁電流Ｉｅｘを大きくすれば同じ流速でも信号起電力ｅが大きくなる。そこで、図５に示した従来の２線式電磁流量計１００では、計測値に応じて、すなわち計測値に応ずる出力電流（４〜２０ｍＡ）が大きくなれば、その大きくなった分を利用して、励磁電流Ｉｅｘを大きな値に切り替えるようにしている。
【００１９】
例えば、計測値が２０％となると、励磁電流Ｉｅｘの値が６．７ｍＡに切り替えられる。すなわち、計測値２０％に応ずる出力電流Ｉｏｕｔは７．２ｍＡであり、励磁回路３ではＩａ＝０．５ｍＡ必要なので、励磁電流Ｉｅｘとして６．７ｍＡまで流すことができる。計測値が４０％となると、励磁電流Ｉｅｘの値が９．９ｍＡに切り替えられる。すなわち、計測値４０％に応ずる出力電流Ｉｏｕｔは１０．４ｍＡであり、励磁回路３ではＩａ＝０．５ｍＡ必要なので、励磁電流Ｉｅｘとして９．９ｍＡまで流すことができる。このように、計測値に応じて励磁電流Ｉｅｘを大きな値に切り替えることにより、信号起電力ｅを大きくして、Ｓ／Ｎ比を向上させ、安定した流量計測が可能となる。
【００２０】
この２線式電磁流量計１００では、直流電源２００から供給される外部電圧Ｖｓ、すなわち直流電源２００の電源電圧ＤＣ２４Ｖから外部負荷ＲＬにおける電圧降下Ｉｏｕｔ×ＲＬを差し引いた電圧Ｖｓが励磁回路３と流量測定出力回路６とに分圧される。このため、励磁電圧回路３−１が生成する励磁電圧Ｖｅｘは８．５Ｖと小さく、励磁コイル２へ供給される矩形波状の励磁電流Ｉｅｘは、その励磁電流Ｉｅｘの値が大きくなるほど立ち上がり時間が長くなる。
【００２１】
図８は励磁電流Ｉｅｘの値をＩｅｘ＝３．５ｍＡ、６．７ｍＡ、９．９ｍＡ、１２ｍＡと切り替えた場合の立ち上がり波形であり、励磁電流Ｉｅｘの値が３．５ｍＡと小さい場合には、同図に示す波形Ｉのように即座に立ち上がる。しかし、励磁電圧回路３−１が生成する励磁電圧Ｖｅｘは変わらないため、励磁電流Ｉｅｘの値が６．７ｍＡ、９．９ｍＡ、１２ｍＡと大きくなると、同図に示す波形ＩＩ，ＩＩＩ　，ＩＶのようにように立ち上がり時間が長くなり、極性が切り替わる直前の定常域（Ｉｅｘが所要値に達した後の平坦な波形部分）ｔａが短くなる。
【００２２】
サンプルホールド回路６−２では信号起電力ｅの値を極性が切り替わる直前でサンプルホールドする。例えば、信号起電力ｅの極性が切り替わる直前の５ｍｓの間の信号起電力ｅをサンプリングし、その平均値を保持する。励磁電流Ｉｅｘの値が１２ｍＡの場合、励磁電流Ｉｅｘの極性が切り替わる直前の定常域ｔａは５ｍｓ程度であり、サンプリングされる信号起電力ｅはかろうじて安定した励磁電流Ｉｅｘにより得られる値となる。
【００２３】
しかし、励磁電流Ｉｅｘの値が大凡ではあるが１２ｍＡを超えると、励磁電流Ｉｅｘが変化している間の信号起電力ｅがサンプリングされるようになり、電極４ａ，４ｂに生じる渦電流などによって、流量の計測値に誤差が含まれるものとなる。このため、従来の多点励磁切替方式の２線式電磁流量計１００では、計測値に応じて多段階に設定される励磁電流Ｉｅｘの限界値を１２ｍＡ程度としている。すなわち、励磁電圧Ｖｅｘを８．５Ｖ、励磁電流Ｉｅｘの最大値を１２ｍＡとし、Ｉｅｘ＝３．５〜１２ｍＡの電流範囲において、５ｍｓ以上の定常域ｔａを確保できるように電力設計が施されている。
【００２４】
【発明が解決しようとする課題】
しかしながら、上述した従来の２線式電磁流量計１００では、直流電源２００から供給される電流Ｉ（Ｉ＝Ｉｉｎ＝Ｉｏｕｔ）よりも励磁電流Ｉｅｘの値を小さくすることを条件としているため（Ｉ＞Ｉｅｘ）、低流量域での励磁電流Ｉｅｘが小さく、低流量域での流量測定の安定性が悪いという問題があった。
【００２５】
すなわち、励磁電流Ｉｅｘの値を供給電流Ｉよりも大きくした場合、例えば供給電流Ｉが４ｍＡ（計測値０％）のときのＣＰＵ６−４からの励磁回路３への指示値を４．８ｍＡとした場合、励磁電流調整回路３−３は励磁電流Ｉｅｘの波高値を４．８ｍＡとするように制御する。一方、励磁電圧回路３−１のコンパレータＣＰ１は、基準電圧Ｖｒｅｆと検出電圧Ｖｐｖとを比較し、励磁電圧Ｖｅｘを８．５Ｖに保つように制御する。ツェナーダイオードＺＤ１は数１０μＡの電流があれば定電圧を発生する。この場合、励磁電流Ｉｅｘの立ち上がり波形が、図９に示すようにＩ＝４ｍＡ付近に達すると、電力の供給が不足し始めるため、ツェナーダイオードＺＤ１への電流が減少し、励磁電圧Ｖｅｘとして８．５Ｖを保持できなくなり、励磁電圧Ｖｅｘが降下し始める。この結果、供給電流Ｉを超えた付近から励磁電流Ｉｅｘの立ち上がり波形が急激になまり、安定域ｔａとして５ｍｓを確保できなくなる。
【００２６】
このような理由から、従来の２線式電磁流量計１００では、直流電源２００から供給される電流Ｉよりも励磁電流Ｉｅｘの値を小さくしている。このため、例えば０％〜２０％の低流量域では、励磁電流Ｉｅｘの値が３．５ｍＡと小さく、流体を貫く磁束密度が小さいために、信号起電力検出回路６−１で得られる信号起電力が小さく、流量測定の安定性が悪いという問題が発生していた。
【００２７】
本発明はこのような課題を解決するためになされたもので、その目的とするところは、低流量域での励磁電流の値を大きくし、低流量域での流量測定の安定性を高めることのできる２線式電磁流量計を提供することにある。
【００２８】
【課題を解決するための手段】
このような目的を達成するために本発明は、上述した２線式電磁流量計において、励磁回路の第１のライン（ＬＡ）と第２のライン（ＬＢ）との間に、すなわち励磁電圧回路によって一定に保たれる励磁電圧が生成される第１のラインと第２のラインとの間に、コンデンサを設けたものである。
この発明によれば、励磁コイルへの励磁電流Ｉｅｘの値をその時の供給電流Ｉよりも大きな値として設定した場合（Ｉ＜Ｉｅｘの値）、励磁電流Ｉｅｘの立ち上がり波形が供給電流Ｉを超えるまでの間の設計上の余剰電力によって、第１のラインと第２のラインとの間に接続されたコンデンサに電荷が蓄えられる。励磁電流Ｉｅｘの立ち上がり波形が供給電流Ｉを超えると、励磁電圧回路にはコンデンサに蓄えられた電荷によって電流が補充されるため、励磁電圧回路への電流の減少による励磁電圧Ｖｅｘの降下が抑制される、あるいは励磁電圧Ｖｅｘが降下せずに一定値に保たれる。これにより、供給電流Ｉを超えた付近からの励磁電流Ｉｅｘの立ち上がり波形の急激ななまりがなくなり、矩形励磁における励磁電流の充分な長さの定常域が確保されるようになる。
【００２９】
【発明の実施の形態】
以下、本発明を図面に基づいて詳細に説明する。図１はこの発明に係る２線式電磁流量計の一実施の形態の概略を示す図である。同図において、図５と同一符号は図５を参照して説明した構成要素と同一或いは同等構成要素を示し、その説明は省略する。
【００３０】
この２線式電磁流量計１００Ａにおいては、励磁回路３における励磁電圧回路３−１の前段のラインＬＡとＬＢとの間に、数百μＦの以上のコンデンサＣ２を接続している。なお、このコンデンサＣ２は、ラインＬＡとＬＢとの間にあればよく、励磁電圧回路３−１の後段のラインＬＡとＬＢとの間に接続するようにしてもよい。
【００３１】
また、この２線式電磁流量計１００Ａにおいては、Ａ／Ｄ変換回路６−３からの信号起電力に基づいて求めた計測値に応じ、図６に示した関係ではなく、図２に示された関係で定まる値の電流を励磁電流Ｉｅｘとするように、励磁回路３へＣＰＵ６−４より指令を与えるようにしている。
【００３２】
すなわち、計測値が０％〜５％未満の区間では励磁電流Ｉｅｘの値を４．８ｍＡとするように、計測値が５％〜２０％未満の区間では励磁電流Ｉｅｘの値を７．２ｍＡとするように、計測値が２０％〜１００％の区間では励磁電流Ｉｅｘの値を１２ｍＡとするように、ＣＰＵ６−４より励磁回路３へ指令を送るようにしている。
【００３３】
この２線式電磁流量計１００Ａにおいても、従来の２線式電磁流量計１００と同様に、励磁回路３と流量測定出力回路６とが信号線Ｌ１とＬ２との間に直列に接続されており、励磁回路３を流れる電流が流量測定出力回路６に流れ込んで、直流電源２００に戻される出力電流Ｉｏｕｔとなる。図４にこの２線式電磁流量計１００Ａの回路構成を単純化して示す。
【００３４】
図４と図７の回路とを比較して分かるように、本実施の形態の２線式電磁流量計１００Ａでは、励磁回路３のラインＬＡとＬＢとの間にコンデンサＣ２を加えただけの極めてシンプルな構成とされている。
【００３５】
〔計測値０％〜５％未満の区間〕
計測値が０％〜５％未満である場合、流量測定出力回路６のＣＰＵ６−４は、図２に示した関係に従って、励磁電流Ｉｅｘの値を４．８ｍＡとするように励磁回路３へ指示する。すなわち、ＣＰＵ６−４は、計測値が０％から５％に達する直前まで、計測値が０％である時の供給電流Ｉ＝４ｍＡよりも大きな値を励磁回路３へ励磁電流Ｉｅｘの指示値として与える。
【００３６】
なお、この例では、計測値が５％である時の供給電流ＩはＩ＝４．８ｍＡであるので、計測値が０％から５％に達する直前までの全区間において、その時の供給電流Ｉよりも大きな値が励磁回路３へ励磁電流Ｉｅｘの指示値として与えられることになる。
【００３７】
例えば、今、計測値が０％で、出力電流Ｉｏｕｔすなわち供給電流Ｉが４ｍＡとされているものとする。この場合、ＣＰＵ６−４は、図２に示した関係に従って、励磁電流Ｉｅｘの値を４．８ｍＡとするように励磁回路３へ指示する。これにより、Ｄ／Ａ回路３−２におけるスイッチＳＷ５のオン・オフが制御され、励磁電流調整回路３−３のトランジスタＱ２に流れる電流の値、すなわち励磁コイル２に流れる励磁電流Ｉｅｘの値がその時の供給電流であるＩ＝４ｍＡよりも大きい４．８ｍＡとされる。
【００３８】
この際、励磁電流Ｉｅｘの立ち上がり波形は、図９に示されたような波形ではなく、図３に示すような５ｍｓ以上の定常域ｔａが確保された波形となる。この時の励磁電流Ｉｅｘの立ち上がり波形について説明する。励磁電流Ｉｅｘの立ち上がり波形が供給電流Ｉ＝４ｍＡを超えるまでの間は、図４に斜線Ｗ１で示す設計上の余剰電力があり、この余剰電力Ｗ１によってコンデンサＣ２に電荷が蓄えられる。
【００３９】
励磁電流Ｉｅｘの立ち上がり波形が供給電流Ｉ＝４ｍＡを超えると、ツェナーダイオードＺＤ１への電流が減少し、励磁電圧回路３−１が発生する励磁電圧Ｖｅｘが降下されようとする。この時、ツェナーダイオードＺＤ１にはコンデンサＣ２に蓄えられた電荷によって電流が補充されるため、励磁電圧Ｖｅｘの降下が抑制される、あるいは励磁電圧Ｖｅｘが降下せずに一定値に保たれる。これにより、供給電流Ｉ＝４ｍＡを超えた付近からの励磁電流Ｉｅｘの立ち上がり波形の急激ななまりがなくなり、充分な長さの定常域ｔａが確保されるようになる。図３に示した斜線Ｗ２はコンデンサＣ２に蓄えられた電荷によって補充された電力を示す。
【００４０】
上述においては、計測値が０％である場合について説明したが、計測値が５％に達する直前までの全区間において同様の動作が行われる。これにより、計測値０％〜５％未満の全区間において、５ｍｓ以上の定常域ｔａが確保された励磁電流Ｉｅｘの立ち上がり波形が得られるものとなる。
【００４１】
〔計測値５％〜２０％未満の区間〕
計測値が５％〜２０％未満である場合、流量測定出力回路６のＣＰＵ６−４は、図２に示した関係に従って、励磁電流Ｉｅｘの値を７．２ｍＡとするように励磁回路３へ指示する。すなわち、ＣＰＵ６−４は、計測値が５％から２０％に達する直前まで、計測値が５％である時の供給電流Ｉ＝４．８ｍＡよりも大きな値を励磁回路３へ励磁電流Ｉｅｘの指示値として与える。
【００４２】
なお、この例では、計測値が２０％である時の供給電流ＩはＩ＝７．２ｍＡであるので、計測値が５％から２０％に達する直前までの全区間において、その時の供給電流Ｉよりも大きな値が励磁回路３へ励磁電流Ｉｅｘの指示値として与えられることになる。
【００４３】
例えば、今、計測値が５％で、出力電流Ｉｏｕｔすなわち供給電流Ｉが４．８ｍＡとされているものとする。この場合、ＣＰＵ６−４は、図２に示した関係に従って、励磁電流Ｉｅｘの値を７．２ｍＡとするように励磁回路３へ指示する。
【００４４】
この場合、励磁電流Ｉｅｘの立ち上がり波形が供給電流Ｉ＝４．８ｍＡを超えるまでの間の余剰電力によってコンデンサＣ２に電荷が蓄えられ、このコンデンサＣ２に蓄えられた電荷によって励磁電流Ｉｅｘが供給電流Ｉ＝４．８ｍＡを超えている間のツェナーダイオードＺＤ１への電流が補充され、励磁電圧Ｖｅｘの降下が抑制される、あるいは励磁電圧Ｖｅｘが降下せずに一定値に保たれるようになる。これにより、供給電流Ｉ＝４．８ｍＡを超えた付近からの励磁電流Ｉｅｘの立ち上がり波形の急激ななまりがなくなり、充分な長さの定常域ｔａが確保されるようになる。
【００４５】
上述においては、計測値が５％である場合について説明したが、計測値が２０％に達する直前までの全区間において同様の動作が行われる。これにより、計測値５％〜２０％未満の全区間において、５ｍｓ以上の定常域ｔａが確保された励磁電流Ｉｅｘの立ち上がり波形が得られるものとなる。
【００４６】
〔計測値２０％〜１００％の区間〕
計測値が２０％〜１００％である場合、流量測定出力回路６のＣＰＵ６−４は、図２に示した関係に従って、励磁電流Ｉｅｘの値を１２ｍＡとする。すなわち、ＣＰＵ６−４は、計測値が２０％から１００％に達するまで、計測値が２０％である時の供給電流Ｉ＝７．２ｍＡよりも大きな値を励磁回路３へ励磁電流Ｉｅｘの指示値として与える。
【００４７】
なお、この例では、計測値が５０％である時の供給電流ＩはＩ＝１２ｍＡであるので、計測値が２０％から５０％に達する直前までの区間において、その時の供給電流Ｉよりも大きな値が励磁回路３へ励磁電流Ｉｅｘの指示値として与えられ、計測値が５０％〜１００％までの区間は、その時の供給電流Ｉよりも小さな値が励磁回路３へ励磁電流Ｉｅｘの指示値として与えられることになる。
【００４８】
例えば、今、計測値が２０％で、出力電流Ｉｏｕｔすなわち供給電流Ｉが７．２ｍＡとされているものとする。この場合、ＣＰＵ６−４は、図２に示した関係に従って、励磁電流Ｉｅｘの値を１２ｍＡとするように励磁回路３へ指示する。
【００４９】
この場合、励磁電流Ｉｅｘの立ち上がり波形が供給電流Ｉ＝７．２ｍＡを超えるまでの間の余剰電力によってコンデンサＣ２に電荷が蓄えられ、このコンデンサＣ２に蓄えられた電荷によって励磁電流Ｉｅｘが供給電流Ｉ＝７．２ｍＡを超えている間のツェナーダイオードＺＤ１への電流が補充され、励磁電圧Ｖｅｘの降下が抑制される、あるいは励磁電圧Ｖｅｘが降下せずに一定値に保たれるようになる。これにより、供給電流Ｉ＝７．２ｍＡを超えた付近からの励磁電流Ｉｅｘの立ち上がり波形の急激ななまりがなくなり、充分な長さの定常域ｔａが確保されるようになる。
【００５０】
上述においては、計測値が２０％である場合について説明したが、計測値が５０％に達する直前までの全区間において同様の動作が行われる。これにより、計測値２０％〜５０％未満の区間において、５ｍｓ以上の定常域ｔａが確保された励磁電流Ｉｅｘの立ち上がり波形が得られるものとなる。
【００５１】
なお、計測値が５０％に達した以降は、その時の供給電流Ｉよりも小さな値が励磁回路３への指示値とされるので、ツェナーダイオードＺＤ１への電流が減少するという状況が発生せず、コンデンサＣ２に蓄えられた電荷による電流の補充を行わなくても励磁電圧Ｖｅｘは一定値に保たれる。この区間の励磁電流Ｉｅｘの値は、１２ｍＡと充分に大きく、流量測定の安定性は確保されている。
【００５２】
このようにして、本実施の形態では、低流量域での励磁電流Ｉｅｘの値を大きくし、低流量域での流量測定の安定性を高めるこことができるようになる。
なお、上述した実施の形態では、計測値０％〜５％未満の全区間において、また、計測値５％〜２０％未満の全区間において、その時の供給電流Ｉよりも大きな値を励磁電流Ｉｅｘの指示値としたが、必ずしもこれらの全区間においてその時の供給電流Ｉよりも励磁電流Ｉｅｘの指示値を大きな値としてなくもよい。例えば、計測値０％から１０％までの間の励磁電流Ｉｅｘの指示値を４．８ｍＡとしたり、計測値５％から３０％までの間の励磁電流Ｉｅｘの指示値を７．２ｍＡとしたりするなどとしてもよい。
【００５３】
【発明の効果】
以上説明したことから明らかなように本発明によれば、励磁電圧回路によって一定に保たれる励磁電圧が生成される第１のラインと第２のラインとの間にコンデンサを接続したので、励磁コイルへの励磁電流Ｉｅｘの値をその時の供給電流Ｉよりも大きな値として設定した場合（Ｉ＜Ｉｅｘ）、励磁電流Ｉｅｘの立ち上がり波形が供給電流Ｉを超えるまでの間の設計上の余剰電力によって、第１のラインと第２のラインとの間に接続されたコンデンサに電荷が蓄えられ、このコンデンサに蓄えられた電荷によって励磁電流Ｉｅｘの立ち上がり波形が供給電流Ｉを超えている間の励磁電圧回路への電流が補充されるため、励磁電圧Ｖｅｘの降下が抑制される、あるいは励磁電圧Ｖｅｘが降下せずに一定値に保たれるものとなり、供給電流Ｉを超えた付近からの励磁電流Ｉｅｘの立ち上がり波形の急激ななまりがなくなって充分な長さの定常域が確保されるようになり、低流量域での励磁電流の値を大きくし、低流量域での流量測定の安定性を高めることができるようになる。
【図面の簡単な説明】
【図１】本発明に係る２線式電磁流量計の一実施の形態の概略を示す図である。
【図２】この２線式電磁流量計における計測値に応じた励磁電流Ｉｅｘの指示値を示す図である。
【図３】この２線式電磁流量計において計測値０％〜５％未満における励磁電流Ｉｅｘの指示値を４．８ｍＡとした場合の計測値０％時の励磁電流Ｉｅｘの立ち上がり波形を励磁電圧Ｖｅｘと合わせて示す図である。
【図４】この２線式電磁流量計の回路構成を単純化して示した図である。
【図５】従来の２線式電磁流量計の概略を示す図である。
【図６】従来の２線式電磁流量計における計測値と励磁電流Ｉｅｘの指示値との関係を示す図である。
【図７】従来の２線式電磁流量計の回路構成を単純化して示した図である。
【図８】励磁電流Ｉｅｘの値をＩｅｘ＝３．５ｍＡ、６．７ｍＡ、９．９ｍＡ、１２ｍＡと切り替えた場合の立ち上がり波形を例示する図である。
【図９】従来の２線式電磁流量計において計測値０％〜２０％未満における励磁電流Ｉｅｘの指示値を４．８ｍＡとした場合の計測値０％時の励磁電流Ｉｅｘの立ち上がり波形を励磁電圧Ｖｅｘと合わせて示す図である。
【符号の説明】
１…測定管、２…励磁コイル、３…励磁回路、３−１…励磁電圧回路、３−２…Ｄ／Ａ回路、３−３…電流調整回路、４ａ，４ｂ…電極、５…接地電極、６…流量測定出力回路、６−１…信号起電力検出回路、６−２…サンプルホールド回路、６−３…Ａ／Ｄ変換回路、６−４…ＣＰＵ、６−５…Ｄ／Ａ変換回路、６−６…電流調整回路、６−７…定電圧回路、ＣＰ１〜ＣＰ３…コンパレータ、Ｑ１〜Ｑ３…トランジスタ、Ｒ１〜Ｒ７…抵抗、Ｒｅｆ…基準抵抗、ＺＤ１…ツェナーダイオード、Ｃ１，Ｃ２…コンデンサ、ＳＷ１〜ＳＷ５…スイッチ、ＬＡ…第１のライン、ＬＢ…第２のライン、Ｌ１，Ｌ２…信号線、ＲＬ…外部負荷、１００Ａ…２線式電磁流量計、２００…直流電源。
【図１】
2004061451.tif 000003
【図２】
2004061451.tif 000004
【図３】
2004061451.tif 000005
【図４】
2004061451.tif 000006
【図５】
2004061451.tif 000007
【図６】
2004061451.tif 000008
【図７】
2004061451.tif 000009
【図８】
2004061451.tif 000010
【図９】
2004061451.tif 000011